【事件の表示】
　特願２００６−１９２４８１「液晶表示装置」拒絶査定不服審判事件〔平成１９年　２月２２日出願公開、特開２００７−　４９６９２〕について、次のとおり審決する。
【結　論】
　本件審判の請求は、成り立たない。
【理　由】
１．手続きの経緯、本願発明
　本願は、平成１８年１月３０日（優先権主張平成１７年３月３０日、平成１７年７月１１日）に出願した特願２００６−２００３４号の一部を平成１８年７月１３日に新たな特許出願としたものであって、その特許請求の範囲の請求項１ないし３に係る各発明は、願書に添付した明細書および図面の記載からみて、請求項１ないし３にそれぞれ記載されたとおりのものであると認められるところ、請求項１に係る発明（以下「本願発明」という。）は次のとおりのものである。
「映像を表示する液晶パネルと、当該液晶パネルに白色の光を照射する光源とを備えた液晶表示装置であって、
　前記液晶パネルに表示する映像のジャンルを判別するジャンル判別手段を設け、
　前記ジャンル判別手段により判別された前記液晶パネルに表示する映像のジャンルがアニメである場合、前記白色の色度を一定に保持しつつ光源の発光輝度を減少させることを特徴とする液晶表示装置。」
　
２．引用例
（１）引用例記載事項
　これに対して、原査定の拒絶の理由で引用した特開２００２−１１８７６９号公報（以下「引用例１」という。）には、次のとおりの記載がなされている。
　
　ア．「【従来の技術】
　例えば、特開平１０−３２２６２２号公報には、ディジタル放送受信機において、出力映像特性及び出力音声特性を、ジャンル別にユーザの好みに応じて設定できる方法が関示されている。
　上記従来技術では、設定を行う対象が、表示装置もしくは音声出力部を受信機内に具備する受信機に限定されている。
　つまり、多重分離回路から得られたジャンル情報に基づいた設定を行うための映像、音声信号生成部が、ジャンルを識別するマイコン、表示装置、音声出力部とを受信機内に備えていなければならなかった。
　ジャンルに応じた映像信号の適した設定が必要なものとして、以下の例がある。
　輝度信号の差が激しい映像の例として、アニメーション等があり、このような映像に対して、１９９８年４月８日　日本放送協会／（社）日本民間放送連盟によって、以下のガイドラインが定められている。
　「アニメーション等の映像手法に関するガイドライン」
　１．映像や光の点滅は、原則として１秒間に３回を超える使用を避けるとともに、次の点に留意する。
　（１）鮮やかな赤色の点滅は、特に、慎重に扱う。
　（２）前項（１）の条件を満たした上で、１秒間に３回を超える点滅が必要なときは、５回を限度とし、かつ、画面の輝度変化を２０パーセント以下に抑える。加えて、連続して２秒を超える使用は行わない。
　２．コントラストの強い画面の反転や、画面の輝度変化が２０パーセントを超える急激な場面転換は、原則として１秒間に３回を超えて使用しない。
　３．規則的なパターン模様（縞模様、渦巻き模様、同心円模様など）が、画面の大部分を占めることも避ける。
　また、映像が与える影響から視聴者を守るためには、”テレビの視聴方法”も重要な役割を果たしていることが指摘されている。
　テレビ受信機の近くでの視聴を避けるために、特開平９−９３４５８号公報のように、リモコンが手元にあることを前提に、リモコンからの光の入射角度から視聴距離を検出し、その結果を画面に表示する方法や、実開昭６１−１２４１６８号公報のように、受像器に近接センサを設け、視聴者が所定距離以内に近接して視聴している間は、受像器電源を切るようにしたテレビジョン受像器が知られている。
　上記特開平９−９３４５８号公報に記載されたものは、リモコンよりも近くにいる人は考慮されないし、実開昭６１−１２４１６８号公報に記載されたものは、近接センサとして超音波センサを採用するとコストがかかる等の問題点があった。また、前記ガイドラインにて、テレビを見るときには、明るい部屋で、受像機から、２メートル以上離れることなどの予防策も必要とされていて、アニメーション番組の開始時に警告を促す表示を行っているが、部屋を明るくする、２ｍ以上離れるという行為は、視聴者に委ねられているものであり、警告を無視して視聴し続け、健康を害する可能性がある。
　　【発明が解決しようとする課題】
　本発明は、上述のことき実情に鑑みてなされたもので、送信されてくる放送データに、番組のジャンル情報が多重化されている信号を受信した時に、番組のジャンルによって、自動的に、表示装置と音声出力装置を制御することにより、視聴者に、より良い表示状態、視聴状態を提供するディジタル放送受信装置を得ることを目的としてなされたものである。」（段落【０００２】ないし【０００６】）
　
　イ．「【発明の実施の形態】
　本発明によるディジタル放送受信装置の実施形態を、図面に基づいて、以下に説明する。
　図１は、本発明によるディジタル放送受信システムの一実施例の構成を示すブロック図である。図において、１０１はシステムデコーダ、１０２はマイコン、１０３はリモコン受光部、１０４はビデオマウス信号発生部、１０５は映像デコーダ、１０６は音声デコーダ、１０７は映像信号アンプ、１０８は付加情報重畳部、１０９は音声信号アンプ、１１０はビデオマウスのデータ、ジャンルに応じた各種設定値、セットトップボックスに接続される表示装置の調整手順を記憶しておくＲＯＭ、１１１はユーザの設定などを記憶しておく記憶装置である。以上が、セットトップボックスの構成である。
　また、１１２は映像プロセッサ、１１３は表示装置、１１４は音声プロセッサ、１１５は音声出力装置、１１６はリモコン受光部、１１７はマイコンである。以上が、上記したセットトップボックスに接続される表示／音声出力機器の構成である。あらかじめ、接続する表示装置１１３が、記憶装置１１１に記憶されているものとする。
　多重化された映像信号のデータ、音声信号のデータ、番組ジャンル等が、システムデコーダ１０１によって分離される。映像データは、映像デコーダ１０５に入力され、映像信号が生成され、音声データは、音声デコーダ１０６に入力され、音声信号が生成される。そして、番組ジャンル情報は、マイコン１０２により解読され、各種ジャンルに応じた設定値、及びセットトップボックスに接続される表示装置１１３の調整手順を、ＲＯＭ１１０から読み込む。マイコン１０２は、読み込んだ調整手順に応じて、表示装置１１３を駆動するリモコン信号を、ビデオマウス信号発生部１０４に出力する。　ここで、映像信号の明るさの調整方法を、例に取って説明する。図２は、表示装置が備えているメニュー構成の一例を示す図である。このような表示装置の明るさを調整するには、メニューを表示させ、「映像調整」を選択して、決定を実行したのち、「明るさ」を選択する。この時点で、左右のカーソルキーを入力することにより、表示される映像信号の明るさが変わるものとする。
　この一連の手順が、ＲＯＭ１１０に記憶されている。受信している放送のジャンルが、アニメーションであったとする。マイコン１０２は、ジャンルに応じた明るさの値を、ＲＯＭ１１０から読み込む。ここでは、その値が−５であったとする。マイコン１０２は、ＲＯＭ１１０に記憶されている手順に従い、メニュー、決定のリモコンコードを、ビデオマウス信号発生部１０４を介して出力する。マイコン１０２は、接続された表示装置１１３の明るさの設定が、不明であるため、例えば、左のカーソルキーのリモコンコードを、表示装置１１３の明るさの下限値になるまで送信する（図２の例では６２回）。
　この操作により、明るさが、−３０に設定されるので、次に２５回、右のカーソルキーのリモコンコードを送信し、目的の明るさの設定をＲＯＭ１１０から読み込まれた値−５として、メニューを消すための表示切のコードを送信し、明るさの調整を完了する。この操作を、他の色の濃さ、色合い等の映像調整や音声調整に関しても同様に実行する。こうしてジャンルに応じた調整を、外部に接続された表示装置１１３に対して行うことか可能となる。」（段落【００１３】ないし【００１８】）
　
　ウ．「さらに、録画を行うための録画出力端子をもっていることにより、受信した放送を、ビデオレコーダ等によって録画することができるが、この記録されたビデオを視聴する場合、その時使用する表示装置は、本発明によるディジタル放送受信装置から出力されるビデオマウスの制御の利くところに設置されているとは限らない。つまり、表示装置は、映像が人体に与える影響を少なくする為の操作を、本発明によるディジタル放送受信装置ではなく、視聴者に委ねることになる。この場合、視聴条件によっては、視聴者の健康を損ねる可能性があるので、この問題を解決するために、映像アンプ１０７、音声アンプ１０９を使用する。
　録画を行うときには、受信する録画対象番組のジャンルを、マイコン１０２が解読した後、そのジャンルに応じて使用者により設定された映像、音声信号の振幅レベルに、映像アンプ１０７、音声アンプ１０９の利得を可変調整して、録画出力端子から出力する。この出力信号をビデオレコーダ等の記録装置に録画を行うと、輝度レベルがジャンルの応じて設定されたレベルで記録されているので、視聴時に、本発明によるディジタル放送受信装置から出力されるビデオマウスの制御の利くところに設置されていない場合においても、視聴者の健康を損ねる可能性を少なくすることが可能となる。」（段落【００２１】、【００２２】）
　
　エ．「【発明の効果】
　以上の説明から明らかなように、表示部、音声出力部をもたないセットトップボックスタイプの受信装置において、システムデコーダによって解析された番組情報を基に、受信している番組に応じた映像、音声調整を、受信装置に接続された表示装置、音声出力装置に、ビデオマウスを介して制御を行うことが可能となり、より良い視聴状態を提供することが可能となる。
　また、リモコンコードの波形記憶、表示装置の設定手順を記憶する記憶装置を別途備えることにより、受信装置本体に記憶されていない表示装置、音声出力装置に対しても制御を行うことが可能となる。
　また、録画出力の出力信号のレベルを可変することが可能なので、ビデオマウスの制御の利かない所に設置された表示装置に接続されたビデオデッキに、本発明の受信装置を用いて録画を行ったビデオテープを鑑賞しても、コントラスト差の激しい映像等が出力されることがなくなり、視聴者の健康を害する可能性が少なくなる。
　さらに、接続された表示装置が、映像付加情報を検出する手段を有している場合、出力信号に映像情報を重畳することにより、表示装置を接続するだけで、適切な視聴状態を提供することが可能となる。」（段落【００２４】ないし【００２７】）
　
（２）引用例１に記載された発明
　オ．上記記載イ．によれば、引用例１には、システムデコーダ１０１、マイコン１０２、ビデオマウス信号発生部１０４、映像デコーダ１０５、音声デコーダ１０６、映像信号アンプ１０７、音声信号アンプ１０９、ビデオマウスのデータ、ジャンルに応じた各種設定値、セットトップボックスに接続される表示装置の調整手順を記憶しておくＲＯＭ１１０等で構成された
セットトップボックス
表示／音声出力機器
　
　カ．上記記載ア．およびイ．によれば、上記ディジタル放送受信システムは、映像信号のデータ、音声信号のデータ、番組ジャンル等が多重化された多重化データを受信し、当該多重化データは、システムデコーダ１０１によって分離され、映像データは、映像デコーダ１０５に入力され、映像信号が生成され、音声データは、音声デコーダ１０６に入力され、音声信号が生成される。そして、番組ジャンル情報は、マイコン１０２により解読され、各種ジャンルに応じた設定値、及びセットトップボックスに接続される表示装置１１３の調整手順を、ＲＯＭ１１０から読み込む。マイコン１０２は、読み込んだ調整手順に応じて、表示装置１１３を駆動するリモコン信号を、ビデオマウス信号発生部１０４に出力することが記載されている。
　また、上記表示装置１１３は、ディジタル放送受信システムが受信した映像データから生成された映像信号を表示することは明らかである。
　
　キ．上記記載ア．およびイ．によれば、上記ディジタル放送受信システムでは、受信している放送のジャンルが、アニメーションであれば、マイコン１０２は、アニメーションのジャンルに応じた明るさの値である−５を、ＲＯＭ１１０から読み込み、ＲＯＭ１１０に記憶されている手順に従い、接続された表示装置１１３の明るさの設定をＲＯＭ１１０から読み込まれた値−５とする調整を行うことが記載されている。
　
　ク．まとめ
　上記オ．ないしキ．によれば、引用例１に記載された発明（以下「引用発明」という。）として、以下のとおりのものを認定することができる。
　
「システムデコーダ１０１、マイコン１０２、ビデオマウス信号発生部１０４、映像デコーダ１０５、音声デコーダ１０６、映像信号アンプ１０７、音声信号アンプ１０９、ビデオマウスのデータ、ジャンルに応じた各種設定値、セットトップボックスに接続される表示装置の調整手順を記憶しておくＲＯＭ１１０等で構成された
セットトップボックス
表示／音声出力機器
上記ディジタル放送受信システムは、
映像信号のデータ、音声信号のデータ、番組ジャンル等が多重化された多重化データを受信し、当該多重化データは、システムデコーダ１０１によって分離され、映像データは、映像デコーダ１０５に入力され、映像信号が生成され、音声データは、音声デコーダ１０６に入力され、音声信号が生成され、前記映像信号は前記表示装置１１３に表示され、
そして、
番組ジャンル情報は、マイコン１０２により解読され、各種ジャンルに応じた設定値、及びセットトップボックスに接続される表示装置１１３の調整手順を、ＲＯＭ１１０から読み込む。マイコン１０２は、読み込んだ調整手順に応じて、表示装置１１３を駆動するリモコン信号を、ビデオマウス信号発生部１０４に出力するものであり、
デジタル放送受信システム」
　
３．対比
　そこで、本願発明と引用発明とを対比すると次のことが認められる。
（ａ）映像を表示する液晶パネルと、当該液晶パネルに白色の光を照射する光源とを備えた液晶表示装置
　
　引用発明は、上記のとおり、システムデコーダ１０１、マイコン１０２、ビデオマウス信号発生部１０４、映像デコーダ１０５、音声デコーダ１０６、映像信号アンプ１０７、音声信号アンプ１０９、ビデオマウスのデータ、ジャンルに応じた各種設定値、セットトップボックスに接続される表示装置の調整手順を記憶しておくＲＯＭ１１０等で構成された
セットトップボックス
表示／音声出力機器
　もっとも、本願発明は、映像を表示する液晶パネルと、当該液晶パネルに白色の光を照射する光源とを備えた液晶表示装置に係る発明であるのに対し、引用発明は、映像信号を表示する表示装置１１３を備えたディジタル放送受信システムに係る発明である点で相違する。
　
（ｂ）前記液晶パネルに表示する映像のジャンルを判別するジャンル判別手段
　
　引用発明では、映像信号のデータ、音声信号のデータ、番組ジャンル等が多重化された多重化データが受信され、当該多重化データは、システムデコーダ１０１によって分離され、映像データは、映像デコーダ１０５に入力され、映像信号が生成され、音声データは、音声デコーダ１０６に入力され、音声信号が生成され、前記映像信号は前記表示装置１１３に表示され、そして、番組ジャンル情報は、マイコン１０２により解読されることから、引用発明は、表示手段（引用発明でいう「表示装置１１３」）に表示する映像のジャンルを判別する（引用発明でいう「解読」する）ジャンル判別手段（引用発明でいう「マイコン１０２」）を設けているといえ、そうすると、本願発明と引用発明は、いずれも、「表示手段に表示する映像のジャンルを判別するジャンル判別手段を設け」たものであるといえる。
　もっとも、上記表示手段が、本願発明では、「液晶パネル」であるのに対し、引用発明では、液晶パネルとはしていない点で相違する。
　
（ｃ）前記ジャンル判別手段により判別された前記液晶パネルに表示する映像のジャンルがアニメである場合、前記白色の色度を一定に保持しつつ光源の発光輝度を減少させること
　
　本願発明は、液晶パネルに表示する映像のジャンルがアニメである場合、前記白色の色度を一定に保持しつつ光源の発光輝度を減少させていることから、本願発明は、液晶パネルに表示する映像のジャンルがアニメである場合、表示手段（液晶パネル）の表示画面の明るさを調整するものといえるところ、
　引用発明は、映像信号のデータ、音声信号のデータ、番組ジャンル等が多重化された多重化データが受信され、当該多重化データは、システムデコーダ１０１によって分離され、映像データは、映像デコーダ１０５に入力され、映像信号が生成され、音声データは、音声デコーダ１０６に入力され、音声信号が生成され、前記映像信号は前記表示装置１１３に表示され、
そして、
番組ジャンル情報は、マイコン１０２により解読され、各種ジャンルに応じた設定値、及びセットトップボックスに接続される表示装置１１３の調整手順を、ＲＯＭ１１０から読み込む。マイコン１０２は、読み込んだ調整手順に応じて、表示装置１１３を駆動するリモコン信号を、ビデオマウス信号発生部１０４に出力するものであり、
本願発明と引用発明は、いずれも、「前記ジャンル判別手段により判別された前記表示手段に表示する映像のジャンルがアニメである場合、前記表示手段の表示画面の明るさを調整する」ことを特徴とするものといえる。
　しかしながら、本願発明では、上記表示手段が「液晶パネル」であり、また、上記表示手段の表示画面の明るさを調整することが、白色の色度を一定に保持しつつ光源の発光輝度を減少させるのに対し、引用発明では、上記表示手段は液晶パネルではなく、また、 表示手段の表示画面の明るさを調整することが、アニメのジャンルに応じた明るさの値である−５に設定することであり、白色の色度を一定に保持しつつ光源の発光輝度を減少させるとはしていない点で相違する。
　
　以上の対比結果によれば、本願発明と引用発明との一致点、相違点は次のとおりであると認めることができる。
［一致点］
　両者は、いずれも
「映像を表示する装置であって、
　表示手段に表示する映像のジャンルを判別するジャンル判別手段を設け、
　前記ジャンル判別手段により判別された前記表示手段に表示する映像のジャンルがアニメである場合、前記表示手段の表示画面の明るさを調整することを特徴とする映像を表示する装置。」である点で一致する。
　
［相違点］
　相違点１
　本願発明は、映像を表示する装置が、映像を表示する液晶パネルと、当該液晶パネルに白色の光を照射する光源とを備えた液晶表示装置であるのに対し、引用発明は、映像信号を表示する表示装置１１３を備えたディジタル放送受信システムであり、また、本願発明は、表示手段が、液晶パネルであるのに対し、引用発明は、液晶パネルではない点。
　
　相違点２
　上記表示手段の表示画面の明るさを調整することが、本願発明では、白色の色度を一定に保持しつつ光源の発光輝度を減少させることであるのに対し、引用発明では、そのように光源の発光輝度を減少させるとはしておらず、アニメのジャンルに応じた明るさの値である−５に設定することである点。
　
４．判断
　そこで上記各相違点について検討する。
　
　相違点１について
　映像を表示する液晶パネルと、当該液晶パネルに白色の光を照射する光源とを備えた表示装置は周知のものであり、このような表示装置を受信機に具備したテレビ放送受信機、いわゆる、液晶テレビ放送受信機も、特に、例示するまでもなく周知のものである。また、このような周知の液晶テレビ放送受信機でアニメ等を視聴することや、その視聴に際しては引用発明と同様の課題が存在することは容易に想定され、このような周知の液晶テレビ放送受信機においても、引用発明と同じくアニメの視聴時に表示装置の表示画面の明るさの調整が必要なことは容易に認識される。
　そうすると、引用発明のディジタル放送受信システムとして、周知の液晶表示装置を受信機に具備した液晶テレビ放送受信機を採用することで、引用発明での明るさを調整する表示装置を周知の液晶表示装置とし、当該液晶表示装置の液晶パネルの表示画面の明るさを、アニメの視聴時に調整するようにすることは、当業者が容易に想到し得たことであると認められる。よって、上記相違点１において本願発明が格別のものであるとすることはできない。
　
　相違点２について
（ア）液晶パネルに白色の光を照射する光源（バックライト）に単色、あるいは複数色からなる光源を用いた液晶表示装置は、当業者において周知のものであり、また、液晶表示装置において、液晶パネルに白色の光を照射する光源（バックライト）の発光輝度を増減させることにより、液晶表示装置の液晶パネルの表示画面の明るさを調整することも、例えば、原査定の拒絶の理由で引用した特開２００４−１７７５４７号公報等で示されるように周知の事項であることからすると、引用発明の表示装置として液晶表示装置を採用した際、上記周知の事項を適用して、液晶パネルに白色の光を照射する光源（バックライト）の発光輝度を増減させることにより、液晶パネル（表示手段）の表示画面の明るさを調整するように構成することは、当業者が容易に想到し得たことであると認められる。
　また、引用発明の表示装置として液晶表示装置を採用した際に、液晶パネルに白色の光を照射する光源（バックライト）の発光輝度を増減させるにあたっては、白色の色度を一定に保持する必要があることは、当業者においてごく普通に想定されることであり、そのため白色の色度を一定に保持しつつ光源の発光輝度を増減させる構成とすることは当業者が極めて普通に想起し得ることである。
　
（イ）また、引用例１には、
「ジャンルに応じた映像信号の適した設定が必要なものとして、以下の例がある。輝度信号の差が激しい映像の例として、アニメーション等があり、このような映像に対して、１９９８年４月８日　日本放送協会／（社）日本民間放送連盟によって、以下のガイドラインが定められている。
　『アニメーション等の映像手法に関するガイドライン』
　１．映像や光の点滅は、原則として１秒間に３回を超える使用を避けるとともに、次の点に留意する。
　（１）鮮やかな赤色の点滅は、特に、慎重に扱う。
　（２）前項（１）の条件を満たした上で、１秒間に３回を超える点滅が必要なときは、５回を限度とし、かつ、
画面の輝度変化を２０パーセント以下に抑える
　２．
コントラストの強い画面の反転や、画面の輝度変化が２０パーセントを超える急激な場面転換は、原則として１秒間に３回を超えて使用しない。
　また、「前記ガイドラインにて、テレビを見るときには、明るい部屋で、受像機から、２メートル以上離れることなどの予防策も必要とされていて、アニメーション番組の開始時に警告を促す表示を行っているが、部屋を明るくする、２ｍ以上離れるという行為は、視聴者に委ねられているものであり、警告を無視して視聴し続け、健康を害する可能性がある。」（段落【０００５】）ということを、発明が解決しようとする課題として、
「送信されてくる放送データに、番組のジャンル情報が多重化されている信号を受信した時に、番組のジャンルによって、自動的に、表示装置と音声出力装置を制御することにより、視聴者に、より良い表示状態、視聴状態を提供するディジタル放送受信装置を得ることを目的としてなされたものであり」（段落【０００６】）、
「コントラスト差の激しい映像等が出力されることがなくなり、視聴者の健康を害する可能性が少なくなる」（段落【００２６】）等の効果を奏するものである旨の記載がある（引用例１に係る上記２．引用例（１）引用例記載事項ア．、エ．等参照）。
　そうすると、引用発明の表示装置として液晶表示装置を適用したものにおいて、引用例１の上記「アニメーション等の映像手法に関するガイドライン」や、発明が解決しようとする課題、目的効果等の各記載事項を考慮して、受信している放送のジャンルが、アニメであれば、表示装置（液晶表示装置）の液晶パネル（表示手段）の表示画面の明るさを減少させるように調整することにより、すなわち、液晶表示装置の（液晶パネルに白色の光を照射する）光源の発光輝度を減少させることにより、コントラスト差の激しい映像や輝度変化の激しい映像等が出力されないようにし、視聴者の健康を害する可能性を少なくするようにすることは、当業者が格別の困難性なくなし得たことと認められる。
　
（ウ）さらに、引用発明は、上記のとおり、受信している放送のジャンルが、アニメーションであれば、マイコン１０２は、アニメーションのジャンルに応じた明るさの値である−５を、ＲＯＭ１１０から読み込み、ＲＯＭ１１０に記憶されている手順に従い、接続された表示装置１１３の明るさの設定をＲＯＭ１１０から読み込まれた値−５とする調整を行うものである。
　ここで、表示装置１１３の明るさの設定値について、図２には、表示装置の明るさを調整するメニューとして「映像調整」−「明るさ」（−３０〜０〜＋３０）という項目、数値が開示されており、この開示からは、明るさ「０」を基準として、−３０に向かって明るさを減少させる設定がなされ、＋３０に向かって明るさを増加させる設定がなされるとするのが、当業者においては自然な理解であり、そうすると、引用発明での前記アニメーションのジャンルに応じた表示装置１１３の明るさの設定値である−５は、表示装置の明るさを基準値である「０」から減少させる方向の設定値といえ、この点からも、引用発明の表示装置として液晶表示装置を適用したものにおいて、受信している放送のジャンルが、アニメであれば、表示装置（液晶表示装置）の液晶パネル（表示手段）の表示画面の明るさを減少させるように調整すること、すなわち、液晶表示装置の（液晶パネルに白色の光を照射する）光源の発光輝度を減少させることは、当業者が格別の困難性なくなし得たことと認められる。
　
（エ）以上判断したとおり、引用発明において、表示出力機器として、周知の映像を表示する液晶パネルと、当該液晶パネルに白色の光を照射する光源とを備えた表示装置である液晶表示装置を採用すること、また、液晶表示装置を採用した際、ジャンル判別手段により判別された液晶パネルに表示する映像のジャンルがアニメである場合、液晶パネルの表示画面の明るさの調整を、白色の色度を一定に保持しつつ光源の発光輝度を減少させるように構成することは、当業者が容易に想到し得たことであると認められる。
　また、本願発明の効果についてみても、上記各構成の採用に伴って当業者が当然に予測し得る程度のものにすぎず、格別顕著なものがあるとはいえない。
　
５．むすび
　以上のとおり、請求項１に係る本願発明は、引用例１に載された発明および周知の事項に基づいて当業者が容易に発明をすることができたものであるから、特許法第２９条第２項の規定により特許を受けることができない。
　したがって、本願は他の請求項に係る発明について特に検討するまでもなく拒絶されるべきものである。
　よって、結論のとおり審決する。